(57)【要約】【課題】本発明の実施形態は、グラフィック画面の作成や改造を容易に行うことができる監視制御装置を提供するものである。【解決手段】実施形態の監視制御装置は、監視対象の状態を示す信号のうち、入力部によって選択された前記信号を取得する信号取得部と、信号の名称ごとに割り当てられたアイコンＩＤのうち、前記信号取得部により取得された前記信号の名称に対応する前記アイコンＩＤを取得するアイコンＩＤ取得部と、前記アイコンＩＤ取得部により取得された前記アイコンＩＤに対応するシンボルを取得するシンボル取得部と、前記シンボル取得部により取得された前記シンボルを表示させる表示部とを有する。【選択図】図１
2015004822.tif 000002
【特許請求の範囲】
【請求項１】
監視対象の状態を示す信号のうち、入力部によって選択された前記信号を取得する信号取得部と、
信号の名称ごとに割り当てられたアイコンＩＤのうち、前記信号取得部により取得された前記信号の名称に対応する前記アイコンＩＤを取得するアイコンＩＤ取得部と、
前記アイコンＩＤ取得部により取得された前記アイコンＩＤに対応するシンボルを取得するシンボル取得部と、
前記シンボル取得部により取得された前記シンボルを表示させる表示部と
を有する監視制御装置。
【発明の詳細な説明】
【技術分野】
【０００１】
本発明の実施形態は、監視制御装置に関する。
【背景技術】
【０００２】
電力設備、空調設備、灯火設備、機械設備等の各種設備を監視および制御する監視制御装置は、対象となる設備の情報をグラフィック画面に表示させることで、監視員が当該設備の状態を一目でわかるようになっている。
【０００３】
グラフィック画面は、大別すると信号の状態により色や形が変化する可変表示（装置の状態や故障、遮断器の入切など）と、変化しない固定表示（系統線やレイアウト線など）の２つで構成される。
【先行技術文献】
【特許文献】
【０００４】
【特許文献１】特開２０１３−６５０９４号公報
【発明の概要】
【発明が解決しようとする課題】
【０００５】
このようなグラフィック画面の作成・改造は専用の描画ソフトを用いて行われ、描画ソフトおよび監視対象設備の専門知識を有した設計者（エンジニア）が実施する。
【０００６】
固定表示は、標準的な図形描画方法により作成可能であるため、描画ソフトに関する専門知識は不要である。
【０００７】
一方、可変表示は、表示方法の種類や信号の種類によって作成方法が異なるため、監視員や監視制御装置が設置される現地での調整を行う現地調整員がグラフィック画面の改造を行うことは容易ではない。
【０００８】
設計者がグラフィック画面の改造を行う場合、後戻り作業が増え、結果としてリードタイムが大きくなってしまうため、監視員や現地調整員により容易にグラフィック画面の作成や改造ができること、特に可変表示を容易に作成できることが望ましい。
【０００９】
そこで、本発明の実施形態はこれらの課題を解決するために、グラフィック画面の作成や改造を容易に行うことができる監視制御装置を提供するものである。
【課題を解決するための手段】
【００１０】
上記課題を達成するために、実施形態の監視制御装置は、監視対象の状態を示す信号のうち、入力部によって選択された前記信号を取得する信号取得部と、信号の名称ごとに割り当てられたアイコンＩＤのうち、前記信号取得部により取得された前記信号の名称に対応する前記アイコンＩＤを取得するアイコンＩＤ取得部と、前記アイコンＩＤ取得部により取得された前記アイコンＩＤに対応するシンボルを取得するシンボル取得部と、前記シンボル取得部により取得された前記シンボルを表示させる表示部とを有する。
【図面の簡単な説明】
【００１１】
【図１】本実施形態に係る監視制御装置と周辺装置の関係を示す全体構成図。
【図２】本実施形態に係る監視制御装置の構成を示すブロック図。
【図３】本実施形態に係る監視制御装置の記憶部の構成を示すブロック図。
【図４】本実施形態に係る監視制御装置のアイコンＩＤ情報ＤＢに格納されたテーブルの一例。
【図５】本実施形態に係る監視制御装置のシンボル情報ＤＢに格納されたテーブルの一例。
【図６】本実施形態に係る監視制御装置の動作を示すフローチャート。
【図７】本実施形態に係る監視制御の表示部に表示される信号一覧の一例。
【発明を実施するための形態】
【００１２】
以下、実施形態について図面を用いて説明する。
【００１３】
（実施形態）
図１は本実施形態に係る監視制御装置と周辺装置の関係を示す全体構成図である。
【００１４】
監視制御装置１は、伝送路１００を介してＰＬＣ（Ｐｒｏｇｒａｍｍａｂｌｅ  Ｌｏｇｉｃ  Ｃｏｎｔｒｏｌｌｅｒ）２と接続され、設備３の制御指令をＰＬＣ２に出力する。
【００１５】
ＰＬＣ２ａ，２ｂ，２ｃは、監視制御装置１からの制御指令を取得し、各設備３ａ，３ｂ，３ｃを制御する。また、各設備３ａ，３ｂ，３ｃの状態情報、故障情報、操作情報等を取得し、監視制御装置１に送信する。
【００１６】
設備３は、監視制御装置１が監視制御する電力設備、空調設備、灯火設備、機械設備等である。
【００１７】
図２は本実施形態に係る監視制御装置の構成を示すブロック図である。
【００１８】
監視制御装置１は、図２に示すように演算処理部１０１、通信ＩＦ（インターフェース）１０２、入力ＩＦ１０３、入力部１０４、出力ＩＦ１０５、表示部１０６、記憶部１０７を有する。その他、ＵＳＢメモリ等の外部記憶装置を装着するＩＦを備えていてもよい。
【００１９】
演算処理部１０１は、記憶部１０７に格納された各プログラムを読み出し、演算処理を行うＣＰＵ（Ｃｅｎｔｒａｌ  Ｐｒｏｃｅｓｓｉｎｇ  Ｕｎｉｔ）などのプロセッサである。演算処理部１０１は、機能に応じて複数備えていてもよい。また、内臓メモリを備えていてもよい。
【００２０】
通信ＩＦ１０２は、伝送路１００を介してＰＬＣ２とデータの授受を行う通信装置、通信手段である。
【００２１】
入力ＩＦ１０３は、入力部１０４と監視制御装置１とを接続するインターフェースである。入力部１０４から送られてきた入力信号を変換し、演算処理部１０１が認識可能な信号に変換する入力制御機能を有していてもよい。入力ＩＦ１０３は、端子等として必須の構成要素ではなく、直接電力需給調整システム１内の配線と接続されていてもよい。
【００２２】
入力部１０４は、コンピュータ装置が一般に備えている各種キーボードやボタン等の入力制御を行う入力装置、入力手段である。その他、人の発する声を認識することにより、入力信号として認識または検出する機能を備えていてもよい。本実施形態では監視制御装置１の外部に設置しているが、監視制御装置１内に組み込まれていてもよい。
【００２３】
出力ＩＦ１０５は、表示部１０６と監視制御装置１とを接続するインターフェースである。演算処理部１０１から出力ＩＦ１０５を介して表示部１０６の制御が行われてもよいし、グラフィックボードなど描画処理を行うＬＳＩ（Ｌａｒｇｅ  Ｓｃａｌｅ  Ｉｎｔｅｇｒａｔｉｏｎ）（ＧＰＵ：Ｇｒａｐｈｉｃｓ  Ｐｒｏｃｅｓｓｉｎｇ  Ｕｎｉｔ）により表示制御が行われてもよい。表示制御機能としては例えば、画像データを復号化するデコード機能がある。監視制御装置１は、出力ＩＦ１０５を使用せず、電力需給調整システム１の内部に表示部１０６が直接接続されていてもよい。
【００２４】
表示部１０６は、液晶ディスプレイ、有機ＥＬ（Ｅｌｅｃｔｒｏ  Ｌｕｍｉｎｅｓｃｅｎｃｅ）ディスプレイ、プラズマディスプレイなどのモニターである。その他、音を発する機能やタッチパネル機能を備えていてもよい。本実施形態では電監視制御装置１の外部に設置しているが、監視制御装置１内に組み込まれていてもよい。
【００２５】
記憶部１０７は、ハードディスクドライブ（ＨＤＤ）などの不揮発性の記憶装置、記憶手段である。この他、不揮発性の記憶手段に限られることなくフラッシュメモリなどの半導体メモリを利用してもよいし、半導体メモリとＨＤＤとを組み合せた形態の記憶媒体であってもよい。
【００２６】
図３は、本実施形態に係る監視制御装置の記憶部の構成を示すブロック図である。
【００２７】
記憶部１０７には、図３に示すように、演算処理部１０１での処理に利用されるモード切替プログラム２０１、信号取得プログラム２０２、アイコンＩＤ情報ＤＢ（Ｄａｔａ  Ｂａｓｅ：データベース）２０３、アイコンＩＤ取得プログラム２０４、シンボル情報ＤＢ２０５、シンボル取得プログラム２０６、表示出力プログラム２０７が格納される。
【００２８】
モード切替プログラム２０１は、表示部１０６を通常の監視制御を行う監視制御モード、あるいは表示部１０６に表示されるグラフィック画面の編集が可能な編集モードに切り替える機能を演算処理部１０１に実行させるモード切替部である。
【００２９】
信号取得プログラム２０２は、監視対象である設備３の状態を示す信号のうち、入力部１０４によって選択された信号を取得する機能を演算処理部１０１に実行させる信号取得部である。
【００３０】
アイコンＩＤ情報ＤＢ２０３には、図４に示すように信号の名称と、信号を名称ごとに識別するためのアイコンＩＤとが関連付けられて格納される。
【００３１】
アイコンＩＤ取得プログラム２０４は、アイコンＩＤ情報ＤＢ２０３から、信号取得プログラム２０２により取得された信号の名称に対応するアイコンＩＤを取得する機能を演算処理部１０１に実行させるアイコンＩＤ取得部である。
【００３２】
シンボル情報ＤＢ２０５には、図５に示すようにアイコンＩＤとシンボルとが関連付けられて格納される。ここで、シンボルは設備３から取得した状態情報、故障情報、操作情報等に応じてそれぞれＯＮシンボルあるいはＯＦＦシンボルに変化する可変表示のシンボルである。
【００３３】
シンボル取得プログラム２０６は、シンボル情報ＤＢ２０５から、アイコンＩＤ取得プログラム２０４により取得されたアイコンＩＤに対応するシンボルを取得する機能を演算処理部１０１に実行させるシンボル取得部である。
【００３４】
表示出力プログラム２０７は、シンボル取得プログラム２０６により取得されたシンボルを表示部１０６に出力する機能を演算処理部１０１に実行させる表示出力部である。
【００３５】
次に各構成要素の作用について、図６を用いて説明する。図６は本実施形態に係る監視制御装置の動作を示すフローチャートである。
【００３６】
設備３の監視制御を行う監視制御モードであるときに、操作者が表示部１０６上に設けられた編集ボタンを押すと、モード切替プログラム２０１が実行される。
【００３７】
モード切替プログラム２０１は、表示部１０６をグラフィック画面の編集が可能な編集モードに切り替える（ステップＳ３０１）。
【００３８】
操作者は編集モードの表示部１０６に表示される信号一覧から、シンボルを作成したい信号を入力部１０４により選択する。
【００３９】
図７に表示部１０６に表示される信号一覧の一例を示す。なお、キーワード等による検索機能を有し、予め絞り込んだ状態の信号一覧を表示部１０６に表示させてもよい。
【００４０】
信号取得プログラム２０２は、入力部１０４によって選択された信号を取得する（ステップＳ３０２）。
【００４１】
アイコンＩＤ取得プログラム２０４は、アイコンＩＤ情報ＤＢ２０３から、信号取得プログラム２０２により取得された信号の名称に対応するアイコンＩＤを取得する（ステップＳ３０３）。
【００４２】
シンボル取得プログラム２０６は、シンボル情報ＤＢ２０５から、アイコンＩＤ取得プログラム２０４により取得されたアイコンＩＤに対応するシンボルを取得する（ステップＳ３０４）。
【００４３】
表示出力プログラム２０７は、シンボル取得プログラム２０６により取得されたシンボルを表示部１０６に出力する（ステップＳ３０５）。
【００４４】
表示部１０６は、表示出力プログラム２０７により出力されたシンボルを表示させる（ステップＳ３０６）。
【００４５】
グラフィック画面の編集が可能な編集モードであるときに、操作者が表示部１０６上に設けられた編集終了ボタンを押すと、モード切替プログラム２０１が実行される。
【００４６】
モード切替プログラム２０１は、表示部１０６を監視制御モードに切り替える（ステップＳ３０７）。
【００４７】
例えば、信号一覧が図７に示すようなものであり、操作者が入力部１０４を操作することにより、「Ｎｏ．１」の信号を選択した場合を例にとる。
【００４８】
アイコンＩＤ情報ＤＢ２０３が図４に示すようなものであった場合、アイコンＩＤ取得プログラム２０４により、「Ｎｏ．１」の信号の名称「遮断器」に対応するアイコンＩＤ「１」が取得される。
【００４９】
次に、シンボル情報ＤＢ２０５が図５に示すようなものであった場合、シンボル取得プログラム２０６により、アイコンＩＤ「１」に対応するシンボルが取得され、表示出力プログラム２０７が、取得されたシンボルを表示部１０６に出力することにより、当該シンボルが表示部１０６に表示される。
【００５０】
表示部１０６により表示されたシンボルは、操作者が入力部１０４を操作することによって任意に移動、サイズ変更が可能である。
【００５１】
なお、シンボルを削除するプログラムを備え、表示部１０６上に当該プログラムを実行するボタンを表示させてもよい。
【００５２】
また、作成あるいは改造したグラフィック画面を保存するプログラムを備え、表示部１０６上に当該プログラムを実行するボタンを表示させてもよい。
【００５３】
以上説明したように、本実施形態に係る監視制御装置によれば、操作者が信号を選択すると、選択した信号に対応する可変表示のシンボルが自動的に表示部１０６に表示されるため、容易にグラフィック画面の作成や改造を行うことができる。
【００５４】
このことにより、描画ソフトに関する専門知識を有さない監視員や現地調整員によるグラフィック画面の作成や改造が可能となるため、後戻り作業の軽減やリードタイムの削減に繋がる。
【００５５】
図７中の「Ｎｏ．１」と「Ｎｏ．４」のように信号一覧には同一名称の複数の信号が存在するため、信号ごとにアイコンＩＤあるいはシンボルを対応づけるとデータの要領が大きくなってしまう。
【００５６】
一方、本実施形態では信号の名称ごとにアイコンＩＤあるいはシンボルを対応づけることでデータの要領が小さくてすむ。
【００５７】
なお、上記の実施形態では、アイコンＩＤ情報ＤＢ２０３とシンボル情報ＤＢ２０５は、異なるＤＢとして記載しているが、これらのＤＢに格納されているデータは１つのＤＢにまとめて格納されていてもよい。
【００５８】
また、シンボル情報ＤＢ２０５に格納されるシンボルは、複数のシンボルが組み合わされたモジュールとして格納されていてもよい。
【００５９】
本実施形態は、例として提示したものであり、発明の範囲を限定することは意図していない。本実施形態は、その他の様々な形態で実施されることが可能であり、発明の要旨を逸脱しない範囲で、種々の省略、置き換え、変更を行うことができる。本実施形態やその変形は、発明の範囲や要旨に含まれると同様に、特許請求の範囲に記載された発明とその均等の範囲に含まれる。
【符号の説明】
【００６０】
１…監視制御装置
２…ＰＬＣ（Ｐｒｏｇｒａｍｍａｂｌｅ  Ｌｏｇｉｃ  Ｃｏｎｔｒｏｌｌｅｒ）
３…設備
１００…伝送路
１０１…演算処理部
１０２…通信ＩＦ
１０３…入力ＩＦ
１０４…入力部
１０５…出力ＩＦ
１０６…表示部
１０７…記憶部
２０１…モード切替プログラム
２０２…信号取得プログラム
２０３…アイコンＩＤ情報ＤＢ（Ｄａｔａ  Ｂａｓｅ：データベース）
２０４…アイコンＩＤ取得プログラム
２０５…シンボル情報ＤＢ
２０６…シンボル取得プログラム
２０７…表示出力プログラム
【図１】
2015004822.tif 000003
【図２】
2015004822.tif 000004
【図３】
2015004822.tif 000005
【図４】
2015004822.tif 000006
【図５】
2015004822.tif 000007
【図６】
2015004822.tif 000008
【図７】
2015004822.tif 000009